(57)【要約】【課題】印点部材と吸着カップ装着のためのレンズ押え部とが干渉するのを防止できるレンズメータを提供すること。【解決手段】眼鏡レンズ（被加工レンズＬ）の屈折力を測定する測定光学系を有するレンズメータにおいて、前記眼鏡レンズ（被加工レンズＬ）の屈折面上において、印点部材（マーカ１１）の外形形状および吸着カップ（レンズ吸着治具２１）の外形形状によって囲まれる範囲２５（図８参照）の外側に、眼鏡レンズ（被加工レンズＬ）を押さえ支持するレンズ押え部材１５，１６が配置されるよう構成している【選択図】        図１
2004219118.tif 000002
【特許請求の範囲】
【請求項１】
眼鏡レンズの屈折力を測定する測定光学系を有するレンズメータにおいて、
前記眼鏡レンズの屈折面上において、印点部材の外形形状および吸着カップの外形形状によって囲まれる範囲の外側に、眼鏡レンズを押さえ支持するレンズ押え部材が配置されるよう構成したことを特徴とするレンズメータ。
【発明の詳細な説明】
【０００１】
【発明の属する技術分野】
この発明は、眼鏡レンズの屈折特性を測定するレンズメータに関し、眼鏡フレームやリムレスフレーム等の玉型形状に基づいて研削加工するためにレンズ研削装置に装着させるための軸出機能を合わせもったレンズメータに関する。
【０００２】
【従来の技術】
従来から、眼鏡レンズの屈折特性を測定するレンズメータに軸出機能をもたせた装置が知られている（例えば特許文献１、２、３参照）。
【０００３】
【特許文献１】
特開平３−１７５３０号公報
【特許文献２】
特開平３−２０８５５１号公報
【特許文献３】
特開平８−２３３６９３号公報
【０００４】
【発明が解決しようとする課題】
しかしながら、眼鏡レンズの屈折面に印点を行うマーカーが、吸着カップ装着のためのレンズ押え部と干渉してしまい、いままで印点装置と、吸着カップ装着装置とをコンパクトに備えたレンズメータは開発されていなかった。
【０００５】
そこで、本発明は、印点部材と吸着カップ装着のためのレンズ押え部とが干渉するのを防止できるレンズメータを提供することを目的とする。
【０００６】
【課題を解決するための手段】
上記課題を解決するため、本発明は、眼鏡レンズの屈折力を測定する測定光学系を有するレンズメータにおいて、前記眼鏡レンズの屈折面上において、印点部材の外形形状および吸着カップの外形形状によって囲まれる範囲の外側に、眼鏡レンズを押さえ支持するレンズ押え部材が配置されるよう構成したレンズメータとしたことを特徴とする。
【０００７】
【発明の実施の形態】
以下、この発明の実施の形態を図面に基づいて説明する。
［構成］
図１（ａ）において、１はレンズメータのケース本体、１ａはケース本体１の前面、２はケース本体１の前面１ａの上下方向の中間部に設けられた膨出突部（第１膨出部）、３はケース本体１の前面１ａの下部に設けられた膨出突部（第２膨出部）である（図１（ｂ）参照）。この膨出突部２，３は上下に間隔をおいて配置されている。しかも、膨出突部２の下面には投影光学系の測定光束を下方に導く筒部（レンズ鏡筒）４が設けられ、膨出突部３の上面の中央には上部が円錐台で筒状のレンズ載置部（レンズ受）５が設けられている（図２，図３参照）。
【０００８】
しかも、膨出突部２内には測定光束を投影する投影光学系（図示せず）が内蔵され、膨出突部３内には測定光束を受光する受光光学系（図示せず）が内蔵されている。そして、投影光学系からの測定光束は筒部４を介して下方に投影され、この測定光束はレンズ載置部５の中央部を介して受光光学系に導かれるようになっている。このような投影光学系及び受光光学系は測定光学系を構成している。
【０００９】
６はケース本体１の上部に設けられた液晶表示器（表示装置）、７は液晶表示器６の下縁に沿って設けられた操作パネル、Ｆ１〜Ｆ６は操作パネル７に設けられたファンクションキーである。このファンクションキーＦ１〜Ｆ６を操作することで、被加工レンズの測定や測定結果の表示の切り替え等を行うことができる。
【００１０】
尚、上述のような測定光学系や操作パネル７のファンクションキーＦ１〜Ｆ６等については、従来周知のものを採用できるので、その詳細な説明は省略する。Ｌはレンズ載置部５の上に載置された被加工レンズ（未加工眼鏡レンズ）である。
【００１１】
また、膨出突部２の下方には印点装置（印点手段）８が配設されている（図１（ａ），（ｂ）、図４参照）。この印点装置８は、操作レバー９の操作で旋回軸１０を中心に回転して、軸状の３つ（複数）のマーカ（印点部材）１１が下方を向いた使用位置と前面１ａ側を向いた退避位置とに位置させることができる。このマーカ１１が下方を向いた使用位置では、操作レバー９を押し下げることにより、印点装置８が下方に押し下げられて、被加工レンズＬの上面に３つのマーカ１１で印点することができる。このような印点装置８の構成には従来周知のものが採用できるので、その詳細な説明は省略する。
【００１２】
さらに、膨出突部２の一側部には支持アーム１２が所定範囲内で上下回動可能に取り付けられている。この支持アーム１２は、図示しないスプリングにより下方に回動付勢されている。そして、支持アーム１２の下端部には、レンズ押さえ１３が取り付けられている。
【００１３】
このレンズ押さえ１３は、支持アーム１２の下端部に取り付けられたレンズ押さえ板１４を有する。このレンズ押さえ板１４は、レンズ載置部５よりも手前側に位置して左右に延びる横板部１４ａと、横板部１４ａの両側部に一体に連設された縦板部１４ｂ，１４ｃを有する。この縦板部１４ｂ，１４ｃは、ケース本体１の前面１ａ側に向けて延設されていると共に、レンズ載置部５の両側に位置するようになっている。尚、縦板部１４ｂが支持アーム１２の下端部に取り付けられている。
【００１４】
また、レンズ押さえ１３は、縦板部１４ｂの下端に突設された一対の軸状のレンズ押さえ部材１５，１５と、縦板部１４ｃの下端に突設された一対の軸状のレンズ押さえ部材１５，１６を有する。１４ｄは縦板部１４ｃに設けられた操作ツマミである。
【００１５】
さらに、レンズ押さえ１３には吸着治具取付装置１７が保持されている（図１（ｂ）、図２参照）。この吸着治具取付装置１７は、横板部１４ａに沿って配設され且つ縦板部１４ｂ，１４ｃに両端部が固定された旋回軸１８と、旋回軸１８にアーム部１９ａが回転自在に保持されたブラケット１９を有する。
【００１６】
このブラケット１９は、板部１９ｂ，１９ｃからＬ字状に形成され、板部１９ｂにアーム部１９ａが一体に設けられている。そして、板部１９ｃを手前側（レンズ押さえ１３とは反対側）に向けた状態では、板部１９ｂの下端部がレンズ押さえ１３の横板部１４ａの前端に当接して、板部１９ｃが水平に保持されるようになっている。
【００１７】
このように板部１９ｃが水平に保持されている状態で、この板部１９ｃ上面には位置決突部（位置決突状）２０が一体に設けられている。この位置決突部２０は、左右に延びている。また、この板部１９ｃの下面には軸状の押え付け部９ｄが設けられている。
【００１８】
２１はレンズ吸着治具（レンズ吸着カップ）である（図１（ｂ）、図６参照）。このレンズ吸着治具２１は、端面に解放する位置決溝２２ａが設けられた軸部２２と、軸部２２に一体に設けられた円盤状のカップ部（吸着カップ部）２３を有する。そして、位置決溝２２ａに位置決突部２０を係合させて圧入することにより、レンズ吸着治具２１がブラケット１９に着脱可能に保持されている。
［作用］
次に、このような構成のレンズメータの作用を説明する。
【００１９】
このような構成においては、レンズメータの図示しない電源スイッチをオンさせると、図示しない投影光学系からの測定光束が筒部４を介して下方に投影され、この測定光束がレンズ載置部５の中央部を介して受光光学系に導かれる。
【００２０】
この状態で、旋回軸１８の一端部を掴んで、支持アーム１２の先端部を上方に回動させ、レンズ押さえ１３のレンズ押さえ部材１５，１６をレンズ載置部５よりも上方に持ち上げ、被加工レンズＬをレンズ載置部５上に載置する。この後、旋回軸１８の一端部を掴んだ状態で、レンズ押さえ１３を下方に回動させて、レンズ押さえ１３のレンズ押さえ部材１５，１６を被加工レンズＬの上面に当接させ、旋回軸１８から手を離すと、レンズ押さえ部材１５，１６は支持アーム１２を下方に回動付勢している図示しないスプリングのバネ力で被加工レンズＬに軽い力で圧接される。これにより、被加工レンズＬはレンズ押さえ１３でレンズ載置部５上に軽く押さえつけられる（図１（ｂ），図２，図３参照）。
【００２１】
このように被加工レンズＬをレンズ載置部５上に載置すると、測定光束が被加工レンズＬを透過して、被加工レンズＬの測定が開始される。
【００２２】
この際、液晶表示器６には、Ｘ軸とＹ軸からなる十字線（図示せず）が表示され、この十字線の交点が測定光学系の測定光軸（図示せず）として表示される。尚、レンズ載置部５の中心が測定光学系の測定光軸Ｏとなる（図３，図５参照）。
【００２３】
また、被加工レンズＬの測定に伴い、被加工レンズＬのレンズ形状が液晶表示器６に表示されると共に、測定光学系の測定光軸Ｏに対する被加工レンズＬの光学中心位置がプリズム量から求められて、被加工レンズＬの光学中心と測定光学系の光軸との位置関係が液晶表示器６に表示される。この液晶表示器６に表示されたレンズ形状と光学中心は、被加工レンズＬをレンズ載置部５の上で水平方向に移動させることにより、一体に移動する。従って、作業者は液晶表示器６の表示を見ながら被加工レンズＬの光学中心位置が測定光学系の測定光軸に一致するように被加工レンズＬを水平方向に移動操作する。
【００２４】
この測定に際して、被加工レンズＬに円柱軸がある場合には、この円柱軸の傾きが求められて、この円柱軸を表す円柱軸線が液晶表示器６に表示される。従って、被加工レンズＬに円柱軸がある場合には、被加工レンズＬを回転させて、円柱軸線がＸ軸と一致するようにする。
【００２５】
このような操作が終了した後、印点装置８の操作レバー９の操作で旋回軸１０を中心に回転して、軸状の３つ（複数）のマーカ１１を下方に向けた後、操作レバー９を押し下げることにより、印点装置８が下方に押し下げられて、印点装置８の３つのマーカ１１が図３（ａ）の如く被加工レンズＬの上面に当接させられて、被加工レンズＬの上面に３つのマーカ１１で印点される。この際、３つのマーカ１１，１１，１１は図３（ａ）及び図７に示したようにレンズ押さえ部材１５，１６の間に配置される。
【００２６】
この印点操作が終了後、操作レバー９を上述とは逆に操作して、印点装置８を退避位置まで移動させる。
【００２７】
次に、ブラケット１９上にレンズ吸着治具２１を配設して、ブラケット１９上の位置決突部２０をレンズ吸着治具２１の位置決溝２２ａに係合させて圧入することにより、レンズ吸着治具２１をブラケット１９に着脱可能に保持させる。この状態ではレンズ吸着治具２１のカップ部２３が上方を向いた状態となっている。そして、このレンズ吸着治具２１のカップ部２３の上面に両面テープ２４の一面側（下方側）を図１（ｂ）の如く貼り付ける。尚、このようなレンズ吸着治具２１のブラケット１９上への保持は、被加工レンズＬの測定開始前であっても良いし、測定後であっても良い。
【００２８】
そして、印点が終了した後、ブラケット１９を旋回軸１８を中心にケース本体１の前面側に回動させて図２の如く水平に倒すことにより、レンズ吸着治具２１のカップ部２２が図３（ｂ）の如く被加工レンズＬの上面側に向けられて、カップ部２２の両面テープ２４が被加工レンズＬの上面に貼り付けられる。この状態で、ブラケット１９を作業者が上から押え付け部１９ｄを押さえつけることで、レンズ吸着治具２１のカップ部２２が被加工レンズＬの上面に両面テープ２４で確実に貼り付け固着される。この際、図６に示したカップ部２３の中心Ｏ１が測定光軸Ｏ、すなわち被加工レンズＬの光学中心と一致させられることになる。しかも、カップ部２３は図３（ｂ）及び図７に示したようにレンズ押さえ部材１５，１６の間に配置される。なお、レンズ吸着治具２１は被加工レンズＬに両面テープ２４で固着したが、必ずしもこれに限定されるものではない。例えば、カップ部２３にゴム製の吸着カップを用いてカップ部２３を被加工レンズＬに吸着させるようにしても良い。
【００２９】
しかも、図７に破線で示したように、カップ部２３とマーカ１１，１１，１１が囲まれる最小の範囲２５を想定したとき、レンズ押え部材１５，１６は範囲２５の外側であれば被加工レンズＬの上面（前側屈折面）のいずれに当接させるように構成しても良い。このように構成することで、カップ部２３やマーカ１１，１１，１１とレンズ押え部材１５，１６が干渉することを防止できる。
【００３０】
以上説明したように、この発明の実施の形態のレンズメータは、眼鏡レンズ（被加工レンズＬ）の屈折力を測定する測定光学系を有するレンズメータにおいて、前記眼鏡レンズ（被加工レンズＬ）の屈折面上において、印点部材（マーカ１１）の外形形状および吸着カップ（レンズ吸着治具２１）の外形形状によって囲まれる範囲２５（図８参照）の外側に、眼鏡レンズ（被加工レンズＬ）を押さえ支持するレンズ押え部材１５，１６が配置されるよう構成している。
【００３１】
この構成によれば、吸着カップ（レンズ吸着治具２１）や印点部材（マーカ１１，１１，１１）とレンズ押え部材１５，１６が干渉することを防止できる。
【００３２】
また、この発明の実施の形態のレンズメータは、レンズ押さえ１３に吸着カップ装着手段（吸着治具取付装置１７）を設けているので、簡単な構成で吸着カップ（レンズ吸着治具２１）を被加工レンズＬに吸着させることができる。
【００３３】
また、この発明の実施の形態のレンズメータは、眼鏡レンズ（被加工レンズＬ）の屈折力を測定する測定光学系を有するレンズメータにおいて、眼鏡レンズ（被加工レンズＬ）を載置する載置部（レンズ載置部５）を中心に印点手段（印点装置８）と吸着カップ装着手段（吸着治具取付装置１７）を対称位置に配置させ、眼鏡レンズ（被加工レンズＬ）の光軸に直交する水平軸（旋回軸１８の軸線）回りに印点手段（印点装置８）及び吸着カップ装着手段（吸着治具取付装置１７）を各々旋回させて載置部（レンズ載置部５）に載置された眼鏡レンズ（被加工レンズ）上に配置し、眼鏡レンズ（被加工レンズ）に印点を行い、吸着カップ（レンズ吸着治具２１）を装着可能にしている。
【００３４】
この構成によれば、眼鏡レンズを取り外して吸着カップを取りつける作業を不要とするので、作業効率を向上させることができる。また、印点位置への吸着カップ装着を自動的かつ高精度に行うことができる。
【００３５】
また、この発明の実施の形態のレンズメータは、眼鏡レンズ（被加工レンズ）Ｌの屈折力を測定する測定光学系を有するレンズメータにおいて、眼鏡レンズ（被加工レンズＬ）を載置する載置部（レンズ載置部５）と、載置部（レンズ載置部５）とは反対の方向から眼鏡レンズ（被加工レンズＬ）を押え支持するレンズ押え部（レンズ押さえ部材１５，１６）と、レンズ押え部（レンズ押さえ部材１５，１６）の間に印点手段（印点装置８）が配置され、眼鏡レンズ（被加工レンズＬ）に印点が行われ、レンズ押え部（レンズ押さえ部材１５，１６）の間に吸着カップ装着手段（吸着治具取付装置１７）が配置され、眼鏡レンズ（被加工レンズＬ）に吸着カップ（レンズ吸着治具２１）が装着されるように構成されている。
【００３６】
この構成によれば、眼鏡レンズを取り外して吸着カップを取りつける作業を不要とするので、簡単な構成で吸着カップの取付のための作業効率を向上させることができる。また、印点位置への吸着カップ装着を自動的かつ高精度に行うことができる。
【００３７】
さらに、この発明の実施の形態のレンズメータは、吸着カップ装着手段（吸着治具取付装置１７）は、吸着カップ（レンズ吸着治具２１）の吸着面（カップ部２２のレンズ取付面）を上にして配置する吸着カップ配置部（ブラケット１９）と、眼鏡レンズ（被加工レンズＬ）の光軸に直交する水平軸（旋回軸１８の軸線）回りに旋回させる旋回手段（ブラケット１９のアーム部１９ａ）とを有し、眼鏡レンズ（被加工レンズＬ）の屈折面上に吸着カップ（レンズ吸着治具２１）を装着させるための押え付け部１９ｄを設けている。
【００３８】
この構成によれば、簡単な構成で吸着カップを眼鏡レンズに確実に取り付けることができる。
【００３９】
【発明の効果】
以上説明したこの発明では、眼鏡レンズを取り外して吸着カップを取りつける作業を不要とするので、作業効率を向上させることができる。また、印点位置への吸着カップ装着を自動的かつ高精度に行うことができる。
【図面の簡単な説明】
【図１】（ａ）はこの発明にかかるレンズメータの正面図、（ｂ）は（ａ）の要部拡大説明図である。
【図２】図１（ｂ）の印点装置の図示を省略した状態の吸着治具取付装置の作用説明図である。
【図３】図１，図２の印点装置及びレンズ吸着治具の作用説明図である。
【図４】図２の印点装置の説明図である。
【図５】図１〜図３の被加工レンズとレンズ載置部との関係を示す説明図である。
【図６】図１（ｂ）のブラケットの説明図である。
【図７】この発明のレンズメータの作用説明図である。
【符号の説明】
Ｌ…被加工レンズ（眼鏡レンズ）
５…レンズ載置部（載置部）
８…印点装置（印点手段）
１５，１６…レンズ押え部材（レンズ押さえ部）
１９ｄ…押さえ付け部（押え付け部）
１７…吸着治具取付装置（吸着カップ装着手段）
１８…水平軸（旋回軸）
２１…レンズ吸着治具（吸着カップ）
【図１】
2004219118.tif 000003
【図２】
2004219118.tif 000004
【図３】
2004219118.tif 000005
【図４】
2004219118.tif 000006
【図５】
2004219118.tif 000007
【図６】
2004219118.tif 000008
【図７】
2004219118.tif 000009